(57)【要約】【課題】  荷重に対する強度を長期間維持しながら、廃棄やリサイクルを効率良く行うことができる、段ボール箱などの紙製の板材よりなる梱包箱を提供する。【解決手段】  重力方向の座屈を防止する紙製の座屈防止部材２１を樹脂フィルムなどの防湿性を有するシートからなる袋２３に入れ、紐などで袋２３の口を縛ることにより防湿済み座屈防止部材２０とする。これを、段ボールを含む紙製の板材を折畳して立方体状に形成した箱内の少なくとも対角位置に配して、梱包箱を得る。【選択図】  図３
2005104503.tif 000002
【特許請求の範囲】
【請求項１】
段ボールを含む紙製の板材を折畳して立方体状に形成し少なくとも対角位置に重力方向の座屈を防止する紙製の座屈防止部材が立設されている梱包箱において、
前記座屈防止部材が防湿膜に封入されていることを特徴とする梱包箱。
【請求項２】
前記防湿膜が座屈防止部材に対し分離可能に封体されていることを特徴とする請求項１に記載の梱包箱。
【請求項３】
前記防湿膜が座屈防止部材と一体化して焼却炉において焼却可能な種類の材質で形成されていることを特徴とする請求項１に記載の梱包箱。
【請求項４】
前記座屈防止部材が封入されている防湿膜封入空間に乾燥剤が存在することを特徴とする請求項１乃至請求項３のいずれか１に記載の梱包箱。
【請求項５】
前記防湿膜は防湿性を有する袋体であって、前記袋体の開口端が袋体を破開容易な封止手段によって封止されていることを特徴とする請求項１乃至４のいずれか１に記載の梱包箱。
【請求項６】
前記封止手段上若しくは封止空間側の袋体側端に袋体破開補助手段が設けられていることを特徴とする請求項５に記載の梱包箱。
【請求項７】
前記座屈防止部材が厚紙の積層体よりなる板材を前記梱包箱の対角面に沿って折曲して形成されている請求項１乃至請求項６のいずれか１に記載の梱包箱。
【請求項８】
前記袋体は真空封止により座屈防止部材に密着されていることを特徴とする請求項５又は請求項６に記載の梱包箱。
【請求項９】
前記袋体は封止空間内に空気を介在させて破開容易に封止されていることを特徴とする請求項５又は請求項６に記載の梱包箱。
【発明の詳細な説明】
【技術分野】
【０００１】
本発明は、重力方向の座屈変形を防止する紙製の座屈防止部材を備えた、段ボール箱などの紙製の板材よりなる梱包箱に関するものである。
【背景技術】
【０００２】
一般的に、安価で軽量且つ加工が容易な梱包材として、段ボールなどの紙製の板材よりなる梱包箱が広く使用されている。特に段ボール箱は緩衝作用に優れ、荷重に対する強度も有するため、機器類などの重量物や破損し易い物品の梱包箱として広く使用されている。しかし、段ボール箱などの紙製の梱包箱は吸湿性が大きく、長期間使用していると吸湿により著しく圧縮強度が低下し、重力方向に座屈変形してしまうなどの不具合があった。
【０００３】
この問題を解決する技術として、以下の提案がなされている。図６（ａ）を参照して、この梱包箱Ｃ１は、各側壁１０の上下両端にフラップ１１、１２を突設してあって、その各側壁１０およびフラップ１１、１２の外層には、プラスチック製のフラットヤーンからなるクロス３と、このクロス３の外側にアルミ蒸着面４を対面させてアルミ蒸着フィルム１３が貼着され、内層には、アルミ箔４ａを貼着することにより輻射熱反射層を設けてある。図６（ｂ）も参照して、この梱包箱を構成する段ボールは、コルゲート加工された紙製中芯５に紙製の表裏ライナ６，７を組み合わせた両面段ボールで、その表ライナ６の外側に、クロス３と、このクロス３の外側にアルミ蒸着面４を対面させてアルミ蒸着フィルム１３とを貼着し、裏ライナ７の外側にアルミ箔４ａを貼着してある。これにより、箱の内外層のアルミ層より成る輻射熱反射層によって断熱性を高めるとともに段ボールの吸水、吸湿を防止する（特許文献１）。この他にも、合成樹脂フィルムなどの防湿シートを用いて防湿性を得る技術が知られている。
【０００４】
しかし、合成樹脂からなるシートやアルミ蒸着フィルム、アルミ箔等を用いて防湿性を得る場合には、段ボール等の紙製の部材をリサイクルする際に、合成樹脂フィルムや金属等の不純物が含まれているため、そのままリサイクルすることができず、若しくは全くリサイクルできないこととなる。また、廃棄する場合であっても合成樹脂や金属等の不純物を含んでいるので、焼却処分が困難となるなど、環境対応に敏感な昨今では、好ましくない。
【０００５】
上記問題に配慮しつつ、段ボール箱などの紙製の板材よりなる梱包箱の荷重に対する強度を高め維持する技術としては、予想される荷重に耐え得る圧縮強度を有する紙製の支柱などの座屈防止部材を梱包箱内に配することが行われている。例えば、ボール紙（コートボール紙や紙管原紙などを含む）状で厚みの大きい紙系材料からなるもの、ボール紙状で厚みの薄い紙系材料を複数枚貼り合わせた構造を有するもの、古紙を解繊し、バインダーを添加して所定の形状に成形したもの、パイプ状の紙系材料をプレス成形したものなどが、座屈防止部材として使用されている。
【特許文献１】実公平６−８０５６号公報
【発明の開示】
【発明が解決しようとする課題】
【０００６】
しかしながら、これらの紙製の部材も、長期間使用していると吸湿し、これにより著しく圧縮強度が低下してしまうという問題があった。
従って、本発明はかかる従来技術の問題に鑑み、荷重に対する強度を長期間維持しながら、廃棄やリサイクルを効率良く行うことができる、段ボール箱などの紙製の板材よりなる梱包箱を提供することを目的とする。
【課題を解決するための手段】
【０００７】
そこで、本発明はかかる課題を解決するために、段ボールを含む紙製の板材を折畳して立方体状に形成し少なくとも対角位置に重力方向の座屈を防止する紙製の座屈防止部材が立設されている梱包箱であって、前記座屈防止部材が防湿膜に封入されていることを特徴とする梱包箱を提案する。
【０００８】
これにより、梱包箱の重力方向への座屈を防止する座屈防止材の圧縮強度を長期間保つことができ、梱包箱全体として長期間荷重に耐えることが出来る。また、梱包箱の座屈防止部材以外の部分についてはそのままリサイクル又は廃棄することができ、廃棄・リサイクル処理の効率が良い。
【０００９】
そして本発明にかかる梱包箱は、前記防湿膜が座屈防止部材に対し分離可能に封体されていることを特徴とする。これにより、使用済みの梱包箱については、座屈防止部材から防湿膜を分離することにより、座屈防止材についてもそのままリサイクル又は廃棄することができ、更に廃棄・リサイクル処理の効率が良い。
【００１０】
また、本発明にかかる梱包箱は、前記防湿膜が座屈防止部材と一体化して焼却炉において焼却可能な種類の材質で形成されていることを特徴とする。これにより、梱包箱の座屈防止部材以外の部分についてはそのままリサイクル又は廃棄することができるとともに、座屈防止部材についてもそのまま焼却処分として廃棄することができ、全体として処分効率が良い。
【００１１】
更に本発明にかかる梱包箱は、前記座屈防止部材が封入されている防湿膜封入空間に乾燥剤が存在することを特徴とする。これにより、防湿膜内に予め存在する湿気や後から防湿膜内に侵入する湿気を乾燥剤が吸収するので、より長期にわたって座屈防止部材を湿気から保護して圧縮強度を保つことができ、梱包箱全体としてより長期間、荷重に対する強度を保つことができる。
【００１２】
そして本発明にかかる梱包箱は、前記防湿膜は防湿性を有する袋体であって、前記袋体の開口端が袋体を破開容易な封止手段によって封止されていることを特徴とする。これにより、使用済みの梱包箱を処分する際、座屈防止部材が封入されている袋を破開して、紙製の座屈防止部材と袋体とを容易に分離することができ、廃棄・リサイクル等の処分の際の作業効率が良い。
【００１３】
また、本発明にかかる梱包箱は、前記封止手段上若しくは封止空間側の袋体側端に袋体破開補助手段が設けられていることを特徴とする。これにより、紙製の座屈防止部材と袋体とを分離する際の作業効率が更に向上する。
【００１４】
なお、本発明にかかる梱包箱の前記座屈防止部材は厚紙の積層体よりなる板材を前記梱包箱の対角面に沿って折曲して形成されている。機械的強度の大きい紙製の部材は種々存在するが、特に荷重に耐えることを考慮して、厚紙の積層体よりなる板材を折曲して形成することにより圧縮強度を高めたものを座屈防止部材として使用する。そしてこの座屈防止材は、梱包箱の対角面に沿って折曲して形成されているから、特に荷重のかかりやすい梱包箱の角隅部の座屈を効果的に防ぐことができるとともに、梱包箱内において座屈防止部材が占める空間を最小限にすることができる。
【００１５】
そして本発明にかかる梱包箱は、前記袋体は真空封止により座屈防止部材に密着される。これにより、座屈防止部材と袋体からなるユニットが全体としてコンパクトになるので、梱包箱内において占める空間が少なくて済み、箱内の収納空間を広く確保することができる。
【００１６】
または、本発明にかかる梱包箱は、前記袋体は封止空間内に空気を介在させて破開容易に封止されている。すなわち、座屈防止部材と袋体との間に空気が存在することにより、座屈防止部材と袋体とが密着せず分離作業が容易となるとともに、座屈防止部材を袋体に封入する際にも空気を抜く作業を要さず、封入作業も容易である。また、袋体内の空気の存在により、緩衝作用も期待できる。
【発明の効果】
【００１７】
以上記載のごとく本発明の梱包箱は、重力方向の座屈を防止する紙製の座屈防止部材を防湿膜で封入することにより、座屈防止部材の圧縮強度が吸湿により低下するのを防止して梱包箱全体として荷重に対する強度を長期間維持できるようにするとともに、座屈防止材以外の部分についてはそのまま廃棄・リサイクルできるので、廃棄やリサイクルを効率良く行うことができるという利点がある。
【発明を実施するための最良の形態】
【００１８】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１９】
図１は、本実施例にかかる座屈防止部材の斜視図である。座屈防止部材２１は複数枚の厚紙を水溶性接着剤により貼り合わせて厚さ約５ｍｍに積層させた板状の部材であり、この座屈防止部材２１が配される梱包箱の角に合わせた角度θに折曲した形状となっている。また、座屈防止部材２１の縁２１ａは、積層された厚紙が端から剥がれないように、薄紙により覆われており、この薄紙はやはり水溶性接着剤により貼られている。このように構成された座屈防止部材２１は、乾燥状態において実線矢印方向からの２００〜３００ｋｇの荷重に耐えることができる。この座屈防止部材２１に対して以下のようにして防湿膜を形成する。
【００２０】
座屈防止部材２１に対して防湿膜を形成する方法としては、例えば図２に示すように、座屈防止部材２１の表面に炭酸カルシウムを原料樹脂に混合した樹脂フィルム等の、防湿性を有し且つ廃棄する際には焼却することができる防湿膜２６を貼りつけ、座屈防止部材２１の全表面を覆うことにより防湿済み座屈防止部材２０とすることができる。これによれば、この防湿済み座屈防止部材２０を配した段ボール箱等の紙製の板材よりなる梱包箱を焼却処分する際、防湿済み座屈防止部材２０以外の部分はそのまま焼却できるのはもちろんのこと、防湿済み座屈防止部材２０についてもそのまま焼却しても有害物質発生等の心配がなく、梱包箱廃棄の際に分別する手間が省け、全体としての処分効率が良い。また、パラフィンワックスを防湿層として用いた防湿包装紙は比較的リサイクルしやすいため、この場合は梱包箱全体をリサイクルすることもできる。
【００２１】
座屈防止部材２１に対して防湿膜を形成する他の方法としては、例えば図３（ａ）に示すように、座屈防止部材２１を樹脂フィルムなどの防湿性を有するシートからなる袋２３に入れ、図３（ｂ）に示すように封止手段として紐などで袋２３の口を縛ることにより防湿済み座屈防止部材２０とすることができる。これによれば、容易に防湿済み座屈防止部材２０が得られるとともに、この防湿済み座屈防止部材２０を配した段ボール箱等の紙製の板材よりなる梱包箱を処分する際には、紐２４を解いて座屈防止部材２１を取り出すことにより座屈防止部材２１と袋２３とを容易に分離することができる。そして、座屈防止部材２１は梱包箱の他の部分と同様に紙製であるので、廃棄又はリサイクルするにあたって一緒に処分することができ、別にして処分する必要があるのは袋２３だけであり、やはり全体としての処分効率が良い。なお、座屈防止部材２１を袋２３に封入する際に、一緒に乾燥剤２２も封入すれば、座屈防止部材２１をより長期間乾燥状態に保つことができる。
【００２２】
座屈防止部材２１に対して防湿膜を形成する他の方法としては、例えば図４に示すように、座屈防止部材２１を樹脂フィルム等の防湿性を有するシートからなる袋２５に入れた後、袋２５内を減圧し、袋２５内の空気を除去した後に熱溶着して封をする。このようにして真空封止することにより防湿済み座屈防止部材２０とすることができる。この場合、封止した部分に、袋の破開補助手段として切り込み２５ａを設けるなどして、開封しやすいようにすれば、梱包箱を処分する際、座屈防止部材２１と袋２５とを容易に分離することができる。袋２５を開封するまでは袋２５は座屈防止部材２１に密着しているので、梱包箱内に配した際にかさばらず、梱包箱内の収納空間が広く確保できる。
【００２３】
このようにして得られた防湿済み座屈防止部材２０を配した梱包箱を、以下のようにして形成する。
図５を参照して、この梱包箱は、段ボールを折畳して立方体状に形成した外箱３０と、収納物の両側面に配され収納物を側方から挟んで保持するボール紙製の緩衝パッド３２と、外箱３０の底面上に設けられ収納物を下側から保持しつつ保護する段ボール製の下側保護部材３３と、外箱３０を閉じた際にその天面の下に設けられ収納物を上側から保持しつつ保護する段ボール製の上側保護部材３４と、外箱３０の内側４隅に垂直に配される防湿済み座屈防止部材２０とからなる。下側保護部材３３及び上側保護部材３４は、外箱３０内で移動しないよう、外箱３０の底面及び天面の形状に合わせて形成されているが、その４隅には防湿済み座屈防止部材２０の断面形状に合わせた切り欠き３３ａおよび３４ａが形成されており、防湿済み座屈防止部材２０の下端及び上端をこの切り欠き３３ａ及び３４ａに合わせて配置することで、防湿済み座屈防止部材２０は外箱３０内の４隅に固定される。
【００２４】
この梱包箱内に、例えば画像形成装置に用いられる原稿給送装置などの収納物３７をポリエチレン製の袋３５に包んで収納し、また、外箱３０の天面と上側保護部材３４との間の空間に、設置手順書などの書類３１をポリエチレン製の袋３６に包んで配置する。なお、これらのポリエチレン製の袋３５、３６は収納物３７や書類３１が段ボール屑で汚染されるのを防ぐためのものであって、本実施例にかかる梱包箱を構成するものではない。
【００２５】
このようにして構成され、収納物３７が収納された梱包箱の上に他の箱を積載した場合、その荷重は防湿済み座屈防止部材２０によって支えられ、収納物３７がその荷重を受けずに保護される。この状態で長期間放置していると、外箱３０や緩衝パッド３２、下側保護部材３３及び上側保護部材３４は徐々に吸湿してその圧縮強度が低下するが、防湿済み座屈防止部材２０だけは吸湿せず、その強度が保たれるため、従来に比べ長期間に渡って荷重を支えることができる。そのため、梱包箱全体として座屈変形せず、収納物３７が無事に保護される。すなわち、座屈防止部材２１のみを防湿するだけで、梱包箱全体として従来に比べ長期間その圧縮強度が保たれる。そして、防湿済み座屈防止部材２０以外の部分については従来通り段ボールとして廃棄・リサイクルできるとともに、防湿済み座屈防止部材２０についても上述の通り、効率良く廃棄又はリサイクルすることができる。
【産業上の利用可能性】
【００２６】
本発明にかかる梱包箱は、箱全体に防湿処理をしなくても長期間荷重に対する強度が維持できるので、箱全体に防湿処理をする場合に比べて低コストでもある。
【図面の簡単な説明】
【００２７】
【図１】本実施例にかかる座屈防止部材の斜視図である。
【図２】座屈防止部材に対して防湿膜を形成する第１の方法を説明するための斜視図である。
【図３】座屈防止部材に対して防湿膜を形成する第２の方法を説明するための斜視図であって、（ａ）は座屈防止部材が防湿性の袋に入れられる様子を示す斜視図であり、（ｂ）は座屈防止部材が防湿性の袋に封入された状態を示す斜視図である。ある。
【図４】座屈防止部材に対して防湿膜を形成する第３の方法を説明するための斜視図である。
【図５】本実施例にかかる梱包箱の全体構造を示す分解斜視図である。
【図６】従来の梱包箱に関する技術を説明するための図であり、（ａ）は梱包箱の全体像を示す斜視図、（ｂ）は梱包箱を構成する板材の拡大断面図である。
【符号の説明】
【００２８】
２０    防湿済み座屈防止部材
２１    座屈防止部材
２２    乾燥剤
２３、２５  袋
２５ａ  切り込み
２６    防湿膜
【図１】
2005104503.tif 000003
【図２】
2005104503.tif 000004
【図３】
2005104503.tif 000005
【図４】
2005104503.tif 000006
【図５】
2005104503.tif 000007
【図６】
2005104503.tif 000008